(57)【要約】  【課題】製氷室の下部に野菜室を備えた冷蔵庫において、氷同士のくっつきを防止し使い勝手のよい氷を提供することを目的とする。  【解決手段】製氷室４の上部に氷を生成する製氷器１５と製氷器１５の下部に氷を貯蔵する貯氷箱１６を備え、貯氷箱１６内の下部にスノコ１８を配設するものであり、貯氷箱１６底面とスノコ１８上部との間に空気層が形成されるので、貯氷箱１６内の下部野菜室からの熱影響による氷の昇華を抑制し、氷同士のくっつきを防止できる。【選択図】図２
2007040667.tif 000002
【特許請求の範囲】
【請求項１】
冷蔵庫本体と、前記冷蔵庫本体の上部に設けられ食品等を保存する冷蔵室と前記冷蔵室の下部に氷を生成して貯蔵する製氷室と前記製氷室の下部に野菜を収納する野菜室と前記野菜室の下部に冷凍食品を収納する冷凍室と、冷気を生成する冷却器と前記冷気を各室に供給するファン装置とを有し、前記製氷室の上部に氷を生成する製氷器と前記製氷器の下部に氷を貯蔵する貯氷箱を備え、前記貯氷箱内の下部にスノコを配設し貯氷箱底面とスノコとの間に空気層を形成することを特徴とする冷蔵庫。
【請求項２】
冷蔵庫本体と、前記冷蔵庫本体の上部に設けられ食品等を保存する冷蔵室と前記冷蔵室の下部に氷を生成して貯蔵する製氷室と前記製氷室の下部に野菜を収納する野菜室と前記野菜室の下部に冷凍食品を収納する冷凍室と、冷気を生成する冷却器と前記冷気を各室に供給するファン装置とを有し、前記製氷室の上部に氷を生成する製氷器と前記製氷器の下部に氷を貯蔵する貯氷箱を備え、貯氷箱の底面を２重構造にし前記貯氷箱内底面と前記貯氷箱外底面との間に空気層を形成することを特徴とする冷蔵庫。
【請求項３】
冷蔵庫本体と、前記冷蔵庫本体の上部に設けられ食品等を保存する冷蔵室と前記冷蔵室の下部に氷を生成して貯蔵する製氷室と前記製氷室の下部に野菜を収納する野菜室と前記野菜室の下部に冷凍食品を収納する冷凍室と、冷気を生成する冷却器と前記冷気を各室に供給するファン装置とを有し、前記製氷室の上部に氷を生成する製氷器と前記製氷器の下部に氷を貯蔵する貯氷箱を備え、製氷室と野菜室との断熱仕切り体と前記貯氷箱底面との間に製氷室を冷却する冷気の一部を流すことを特徴とする冷蔵庫。
【発明の詳細な説明】
【技術分野】
【０００１】
本発明は、製氷装置を備えた冷蔵庫に関するものである。
【背景技術】
【０００２】
近年、様々なレイアウトの冷蔵庫が発売されている（例えば、特許文献１参照）。
【０００３】
図５は、特許文献１に記載された従来の冷蔵庫を示すものである。図５に示すように冷蔵庫本体１と、冷蔵庫本体１の上部に設けられた冷蔵室２と、冷蔵室２の下に設けられた切替室３と、冷蔵室２の下で切替室３と並列に設けられた製氷室４と、冷蔵庫本体１の最下部に設けられた冷凍室５と、切替室３及び製氷室４と冷凍室５の間に設けられた野菜室６と、冷気を生成する冷却器８と、冷気を各室に供給するファン装置９とを有し、冷蔵室２に冷気を導く冷蔵室吐出ダクト１０と、切替室３に冷気を導く切替室吐出ダクト１１と、製氷室４に冷気を導く製氷室吐出ダクト１２と、冷蔵室２に送られた冷気を野菜室６に導く冷蔵室戻りダクト１３と、野菜室６に送られた冷気を冷却室７に戻す野菜室戻りダクト１４とで風路を構成し、ファン装置９の運転により、冷却器８で生成された冷気が各々の風路より各貯蔵室に供給され庫内は冷却される。
【特許文献１】特許第３２１２９５４号公報
【発明の開示】
【発明が解決しようとする課題】
【０００４】
しかしながら、上記従来の構成では、製氷室４の下部が製氷室４と温度差の大きい野菜室６であり、製氷室４内下部に配設される貯氷箱の底面が、製氷室４と野菜室６との間に配設される断熱仕切り壁を介して加熱され、貯氷箱底面に接する氷が昇華し、昇華した水分が貯氷箱上部の温度の低い氷に付着凍結し、貯氷箱上部の氷同士が連結して固まってしまいお客様が氷を使用する場合に取り出しにくいという課題を有していた。
【０００５】
本発明は、上記従来の課題を解決するものであり、貯氷箱底面の氷の昇華を抑制して氷同士のくっつきを防止し、お客様に使い勝手のよい氷を提供することを目的とする。
【課題を解決するための手段】
【０００６】
上記従来の課題を解決するために、本発明の冷蔵庫は、冷蔵庫本体と、前記冷蔵庫本体の上部に設けられ食品等を保存する冷蔵室と前記冷蔵室の下部に氷を生成して貯蔵する製氷室と前記製氷室の下部に野菜を収納する野菜室と前記野菜室の下部に冷凍食品を収納する冷凍室と、冷気を生成する冷却器と前記冷気を各室に供給するファン装置とを有し、前記製氷室の上部に氷を生成する製氷器と前記製氷器の下部に氷を貯蔵する貯氷箱を備えたものにおいて、前記貯氷箱内の下部にスノコを配設し貯氷箱底面とスノコとの間に空気層を形成するものである。
【０００７】
これにより、製氷室の下部の温度の高い野菜室からの熱影響を、貯氷箱底面とスノコとの間に形成した空気層により低減される。
【０００８】
また、冷蔵庫本体と、前記冷蔵庫本体の上部に設けられ食品等を保存する冷蔵室と前記冷蔵室の下部に氷を生成して貯蔵する製氷室と前記製氷室の下部に野菜を収納する野菜室と前記野菜室の下部に冷凍食品を収納する冷凍室と、冷気を生成する冷却器と前記冷気を各室に供給するファン装置とを有し、前記製氷室の上部に氷を生成する製氷器と前記製氷器の下部に氷を貯蔵する貯氷箱を備え、製氷室と野菜室との断熱仕切り体と前記貯氷箱底面との間に製氷室を冷却する冷気の一部を流すものである。
【０００９】
これにより、製氷室の下部の温度の高い野菜室からの熱影響が、製氷室を冷却する冷気により低減される。
【発明の効果】
【００１０】
本発明の冷蔵庫は、貯氷箱内の下部からの熱影響による氷の昇華を抑制することで、氷同士のくっつきを防止し、使い勝手のよい氷を提供することができる。
【発明を実施するための最良の形態】
【００１１】
請求項１に記載の発明は、冷蔵庫本体と、前記冷蔵庫本体の上部に設けられ食品等を保存する冷蔵室と前記冷蔵室の下部に氷を生成して貯蔵する製氷室と前記製氷室の下部に野菜を収納する野菜室と前記野菜室の下部に冷凍食品を収納する冷凍室と、冷気を生成する冷却器と前記冷気を各室に供給するファン装置とを有し、前記製氷室の上部に氷を生成する製氷器と前記製氷器の下部に氷を貯蔵する貯氷箱を備え、前記貯氷箱内の下部にスノコを配設し貯氷箱底面とスノコとの間に空気層を形成するものであり、製氷室の下部の温度の高い野菜室からの熱影響を、貯氷箱底面とスノコとの間に形成した空気層により低減され、氷の昇華を抑制することで、氷同士のくっつきを防止し、使い勝手のよい氷を提供することができる。
【００１２】
請求項２に記載の発明は、冷蔵庫本体と、前記冷蔵庫本体の上部に設けられ食品等を保存する冷蔵室と前記冷蔵室の下部に氷を生成して貯蔵する製氷室と前記製氷室の下部に野菜を収納する野菜室と前記野菜室の下部に冷凍食品を収納する冷凍室と、冷気を生成する冷却器と前記冷気を各室に供給するファン装置とを有し、前記製氷室の上部に氷を生成する製氷器と前記製氷器の下部に氷を貯蔵する貯氷箱を備え、貯氷箱の底面を２重構造にし前記貯氷箱内底面と前記貯氷箱外底面との間に空気層を形成するものであり、製氷室の下部の温度の高い野菜室からの熱影響を、貯氷箱の底面の２重構造で形成した空気層により低減され、氷の昇華を抑制することで、氷同士のくっつきを防止し、使い勝手のよい氷を提供することができる。
【００１３】
請求項３に記載の発明は、冷蔵庫本体と、前記冷蔵庫本体の上部に設けられ食品等を保存する冷蔵室と前記冷蔵室の下部に氷を生成して貯蔵する製氷室と前記製氷室の下部に野菜を収納する野菜室と前記野菜室の下部に冷凍食品を収納する冷凍室と、冷気を生成する冷却器と前記冷気を各室に供給するファン装置とを有し、前記製氷室の上部に氷を生成する製氷器と前記製氷器の下部に氷を貯蔵する貯氷箱を備え、製氷室と野菜室との断熱仕切り体と前記貯氷箱底面との間に製氷室を冷却する冷気の一部を流すものであり、製氷室の下部の温度の高い野菜室からの熱影響を低減でき、氷の昇華を抑制することで、氷同士のくっつきを防止し、使い勝手のよい氷を提供することができる。
【００１４】
（実施の形態１）
図１は本発明の実施の形態１における冷蔵庫の縦断面図、図２は同実施の形態における冷蔵庫の部分縦断面図である。
【００１５】
図１及び図２において、１は冷蔵庫本体で、冷蔵庫本体１の上部に食品を保存する冷蔵室２と冷蔵室２の下部に氷を生成して貯蔵する製氷室４と製氷室４の下部に野菜を貯蔵する野菜室６と野菜室６の下部に冷凍食品を保存する冷凍室５とで構成されている。
【００１６】
野菜室６の後部には冷気を生成する冷却器８と冷気を各貯蔵室に送風するファン装置９が配設されている。
【００１７】
製氷室４内上部には、製氷器１５が配設され、冷気吐出口１７より送られた冷気で水を凍結させ、生成した氷を下部の貯氷箱１６に集積する。
【００１８】
貯氷箱１６内の下部には５〜１０ｍｍ程度の隙間（空気層）を形成したスノコ１８が、貯氷箱１６のほぼ底面を覆うように配設される。
【００１９】
上記構成により、貯氷箱１６の底面とスノコ１８との間に空気層が形成され、生成された氷は直接貯氷箱１６の底面に接しないので、貯氷箱１６底面からの熱影響による昇華を抑制することができ、昇華による水分の最凍結による氷同士のくっつきを防止することができる。
【００２０】
（実施の形態２）
図３は本発明の実施の形態２における冷蔵庫の貯氷箱の外観図である。貯氷箱１６の下部には、スライドコアで一体成形した中空の穴（空気層）が形成され、貯氷箱内底１９と貯氷箱外底の間に所定の空気層（５〜１０ｍｍ）が形成される。
【００２１】
これにより、安価に１部品構成で貯氷箱１６内の氷への熱影響を低減することができる。
【００２２】
（実施の形態３）
図４は本発明の実施の形態３における冷蔵庫の部分縦断面図である。
【００２３】
製氷室４奥の風路内に、冷気吐出口１７へと流れる冷気を分流する下部冷気吐出ダクト２１が配設され、製氷室４奥の下部に開口している。そして、製氷室４と野菜室６の間に構成される断熱仕切体２２と貯氷箱１６との間に空間を設け、下部冷気吐出ダクト２１と連通している。
【００２４】
上記構成において、ファン装置９が作動すると、下部冷気吐出ダクト２１内を冷気が流れ、製氷室４と野菜室６の間に構成される断熱仕切体２２と貯氷箱１６との間の空間に冷気が送風され、貯氷箱１６の底面が冷却される。
【００２５】
これにより、貯氷箱１６を複雑な構造にすることなく、貯氷箱１６内の氷への熱影響を抑制することができ、金型費が抑えられ低コストを図ることができる。
【産業上の利用可能性】
【００２６】
以上のように、本発明にかかる冷蔵庫は、貯氷箱周囲の構造により、貯氷箱内の氷の昇華を抑制して氷同士のくっつきを防止するものであり、製氷機を備えた冷却機器等にも適用できる。
【図面の簡単な説明】
【００２７】
【図１】本発明の実施の形態１における冷蔵庫の縦断面図
【図２】同実施の形態における冷蔵庫の部分縦断面図
【図３】本発明の実施の形態２における冷蔵庫の貯氷箱の外観図
【図４】本発明の実施の形態３における冷蔵庫の部分縦断面図
【図５】従来の冷蔵庫の風路を示す図
【符号の説明】
【００２８】
１    冷蔵庫本体
２    冷蔵室
４    製氷室
５    冷凍室
６    野菜室
８    冷却器
９    ファン装置
１５  製氷器
１６  貯氷箱
１７  冷気吐出口
１８  スノコ
１９  貯氷箱内底
２０  貯氷箱外底
２１  下部冷気吐出ダクト
２２  断熱仕切体
【図１】
2007040667.tif 000003
【図２】
2007040667.tif 000004
【図３】
2007040667.tif 000005
【図４】
2007040667.tif 000006
【図５】
2007040667.tif 000007